(57)【要約】【課題】成人病等の処方薬は通常一回分２８乃至３０日分のことが多い。患者が多種類の薬を毎日指定時間に服用する際、それを同じ袋にまとめて入れたままでは度々飲み忘れとか間違って二度飲みをしてしまうことが起きてしまう。  本発明は、患者本人の曖昧な記憶に頼らず同居の家族にも服用状況が一目でわかるようにした薬の飲み忘れや二度飲みを防止するカセットケース付きカレンダーを提供する。【解決手段】  どの月でも表示可能な一か月用のカレンダー基盤に曜日を記入し、その下に指で回転できるロール式の日付表示ベルトを設け、さらにその下に開閉式の透明なカセットケースを設置して薬一日分の用量だけを小分けして入れておく。この一か月用カレンダー二台をワンセットとすることにより、どの年のどの日付から服用を開始しても対応が可能な内服薬の飲み忘れや二度飲みを防止するカセットケース付きカレンダー。【選択図】図１
2013248873.tif 000002
【特許請求の範囲】
【請求項１】
壁面などから少し浮かせて掛けられるよう四隅を少し高くした一か月用のカレンダー基盤に、まず上部に月表示カードケース設けて１２か月分のカードを差し替えて使用できるようにし、その下に日曜日から右へ順に一週間分の曜日を横一列に記入し、次にその下に日付を指で動かせるロール式表示ベルトを六週間分設置して１日から３１日まで表示できるようにした上で、さらに各週それぞれのベルトの下に一日ごとに分けて薬を収納し且つ中身が見えるように成形した開閉式の透明なカセットケースを一週間分づつ設けるが、第六週のカセットケースについては左から二日分だけとした内服薬の飲み忘れや二度飲みを防止するカセットケース付きカレンダー。
【請求項２】
請求項１で示した一か月用カレンダー二台をワンセットとして使用する内服薬の飲み忘れや二度飲みを防止するカセットケース付きカレンダー。
【発明の詳細な説明】
【技術分野】
【０００１】  本発明は、成人病等の患者が処方された薬を服用する際に起こりがちな内服薬の飲み忘れや二度飲みを防止するカセットケース付きカレンダーに関するものである。
【背景技術】
【０００２】  医者が成人病等の患者に対して内服薬を処方する場合一回に２８日乃至３０日分が一般的であるが、患者が毎日その薬を服用する際飲み忘れや二度飲みをしてしまうことが度々あった。
なお、薬箱を使用した薬の飲み忘れとか飲みすぎを防止する装置や電気的に服用を知らせる装置が知られている。
【先行技術文献】
【０００３】
【特許文献１】  特許公開２００３−１８０７９８
【特許文献２】  特許公開２００１−１９８１９５
【発明の概要】
【発明が解決しようとする課題】
【０００４】  医者から処方された薬を毎日服用する場合、飲み忘れや二度飲みを防ぐためには従来手作業で一日分ずつ小分けにし且つ袋詰めして日付を記入しておく方法や、薬箱に日付を記入して収納しておく方法とか電気的な仕掛けで服用を知らせる方法があったが、本人だけでなく同居の家族が目で見て服用の状況がわかる様な簡単な方法がなかった。
本発明は、以上の問題点を解決するためになされたものである。
【課題を解決るための手段】
【０００５】  四隅を少し高くした一か月用のカレンダー基盤に固定的である曜日の頭文字等を日曜日から右へ順に一週間分横一列に記入し、その下に指で回転することが出来る日付表示用のロール式のベルトを六週間分設置して１日から３１日まで表示できるようにする。
さらに各週それぞれのベルトの下に一日分ごとに小分けにして薬を収納する開閉式の透明なカセットケースを設ける。このカレンダー基盤の上部に月表示ケースを設け、カードを差し替えて月表示を行う。この一か月用のカレンダー二台をワンセットとする。
以上の構成よりなる内服薬の飲み忘れや二度飲みを防止するカセットケースつきカレンダー。
【発明の効果】
【０００６】  成人病等の患者は長期にわたり処方薬を服用することが多いため、毎日の服用に際し飲み忘れや二度飲みをしてしまうことが度々あるが、曖昧な記憶に頼らず目で見て服用したかどうか確認できるためそれを防ぐことが可能となる
本発明は、患者本人だけでなく同居の家族にも薬の服用状況が一目瞭然となるという効果がある。また、カセットケースにすべての薬を収納することで薬が切れる日にちが確認できることから、次回の通院予定が早めに立てられる。
【図面の簡単な説明】
【０００７】
【図１】本発明全体の斜視図
【図２】ロール式可動日付表示ベルトの両端を繋いだ状態とそれをカレンダー基盤へ設置した状態の斜視図及び設置後の断面図
【図３】ロール式可動日付表示ベルトの第一週から第六週それぞれの日付表示一覧図
【図４】カセット式薬ケースの開閉時の様子を示す斜視図
【図５】月表示ケースと月表示カード
【発明を実施するための形態】
【０００８】  以下、本発明の実施の形態について説明する。
（イ）壁面などに掛けられる四隅を少し高くした形状の一か月用のカレンダー基盤（１）    の上部に月表示ケース（２）を設ける。ここに１月から１２月までの数字を記入した    月表示カード（３）を出し入れできるようにし、カレンダー基盤の左右上方には壁な    どに吊れる様に吊り紐穴（４）を開けておく。
（ロ）月表示ケース（２）の下に日曜日から右へ順に頭文字等で一週間の曜日を横一列に    記入する。
（ハ）曜日を記入したカレンダー基盤（１）に、第一週目から第六週目までの日付を記入    したロール式可動日付表示ベルト（５）を通すためのロール式可動日付表示ベルト通    し穴（６）を六週分左右に開ける。ロール式可動日付表示ベルト（５）の内側が通し    穴（６）に接触する部分は、それがスムーズに回転するように丸みを帯びた面取り加    工を施しておく。
（ニ）ロール式可動日付表示ベルト（５）の第一週目には１から７、第二週目には２から    １４、第三週目には９から２１、第四週目には２３から３１、第六週目には３０・３    １の数字をそれぞれ記入する。各ベルトの数字を記入するコマ数は、何も記入しない    コマを含めて１４コマとし、通し穴（６）を通し両端を接続する。
（ホ）ロール式可動日付表示ベルト（６）の下に処方薬を入れるカセット式薬ケース（７    ）を設ける。このカセット式薬ケース（７）はその下部を開閉ヒンジ（１１）でカレ    ンダー基盤（１）と繋げ、また中が見えるように透明な樹脂で成形し、且つ開けた時    に中の処方薬が落ちないように薬落下防止ストッパー（９）を設ける。開閉には開閉    突起（８）を手で操作し、閉めたあとは開閉突起止め（１０）で固定する。なお、第    六週のカセット式薬ケース（７）は二日分だけとする。
本発明は以上の様な構造である。
本発明を使用する時は、まずカレンダー基盤（１）に月表示カード（３）をその月に合わせて月表示ケース（２）に差し入れ、次にロール式の日付表示ベルト（５）をその月の曜日に合わせて指で可動して設定し、最後にカセット式薬ケースを（７）開けて一日分ずつの薬を小分けしてその中に入れる。日付表示の余った数字は白色テープなどで隠す。
通常一回に受け取る処方薬は２８日乃至３０日分なのでこの一か月用カレンダー二台をワンセットにして使用する。
これによりどの年のどの日から服用を開始してもすべての日付に対応可能となる。また次回以降に薬を受け取った時は、カセットケースが空になった月のカレンダーの設定だけを変更して並び変えれば連続して使用できる。
薬を一日分ずつカセットケースに入れるという手間は残るが、こうしておけば目で確認することにより容易に飲み忘れや二度飲みの問題を解決することができる。
【符号の説明】
【０００９】１  カレンダー基盤、２  月表示ケース、３  月表示カード、４  吊り紐穴、５  ロール式可動日付表示ベルト、６  ロール式可動日付表示ベルト通し穴、７  カセット式薬ケース、８  開閉取手、９  開閉取手止、１０  薬落下防止ストッパー、１１  開閉ヒンジ
【図１】
2013248873.tif 000003
【図２】
2013248873.tif 000004
【図３】
2013248873.tif 000005
【図４】
2013248873.tif 000006
【図５】
2013248873.tif 000007